【手続補正書】
【提出日】平成15年10月30日(2003.10.30)
【手続補正１】
【補正対象書類名】明細書
【補正対象項目名】特許請求の範囲
【補正方法】変更
【補正の内容】
【特許請求の範囲】
【請求項１】
電子写真画像形成装置本体に着脱可能なプロセスカートリッジにおいて、
電子写真感光体ドラムと、
前記電子写真感光体ドラムに形成された静電潜像を現像剤を用いて現像するための現像手段と、
前記帯電手段と前記電子写真感光体ドラムとを支持するドラム枠体と、
前記現像剤を収納する現像剤収納部を有する現像剤収納枠体と、
前記電子写真感光体ドラムの長手方向一端側において、前記ドラム枠体と現像剤収納枠体とを支持するフレームと、
前記プロセスカートリッジが前記装置本体に装着された際に、前記装置本体から前記現像手段に印加するための現像バイアスを受けるための、前記フレームに設けられた現像バイアス接点と、
前記プロセスカートリッジが前記装置本体に装着された際に、前記装置本体から前記帯電手段に印加するための帯電バイアスを受けるための、前記フレームに設けられた帯電バイアス接点と、
を有することを特徴とするプロセスカートリッジ。
【請求項２】
前記現像バイアス接点と前記帯電バイアス接点は、前記感光体ドラムと交差する方向において、一方側と他方側とに対向して配置されており、前記プロセスカートリッジが前記装置本体に装着された際に、前記現像バイアス接点と前記帯電バイアス接点は下方を向くように前記フレームから露出して、前記フレームに取り付けられている請求項１に記載のプロセスカートリッジ。
【請求項３】
前記ドラム枠体と現像剤収納枠体は、前記フレームと樹脂接合されており、前記現像バイアス接点と前記帯電バイアス接点は、前記樹脂接合部分で固定されている請求項１又は２に記載のプロセスカートリッジ。
【請求項４】
更に、前記フレームは、前記プロセスカートリッジを前記装置本体に装着する際に、前記プロセスカートリッジを前記装置本体に支持するために前記装置本体に支持される被支持部を有し、前記被支持部は前記フレームから突出して設けられた突起であって、前記プロセスカートリッジが前記装置本体に装着された際に、上面となる前記フレーム部分に配置されている請求項１から３の何れか１つに記載のプロセスカートリッジ。
【請求項５】
更に、前記フレームは、前記プロセスカートリッジを前記装置本体に装着する際に、前記プロセスカートリッジを前記装置本体に位置決めするために前記装置本体に位置決めされる被位置決め部を有し、前記被位置決め部は前記フレームから突出して設けられた突起であって、前記プロセスカートリッジが前記装置本体に装着された際に、下面となる前記フレーム部分に配置されている請求項１から４の何れか１つに記載のプロセスカートリッジ。
【請求項６】
画像形成装置本体に着脱可能なプロセスカートリッジにおいて、
電子写真感光体ドラムと、
前記電子写真感光体ドラムを帯電する帯電手段と、
前記電子写真感光体ドラムに形成された静電潜像を現像剤を用いて現像する現像剤担持体を有する現像手段と、
前記帯電手段及び電子写真感光体ドラムを支持するドラム枠体と、
前記現像剤を収納する現像剤収納枠体と、
前記ドラム枠体と前記現像剤収納枠体を前記電子写真感光体ドラムの長手方向と同方向の一端面側において支持するフレームと、
を有し、
前記フレームでもって画像形成装置本体に対するプロセスカートリッジの支持と位置決めを行うと共に、
前記帯電手段に高圧を供給するための外部帯電電極及び前記現像手段に高圧を供給するための外部現像電極は、前記フレームに支持されている事を特徴とするプロセスカートリッジ。
【請求項７】
前記現像剤担持体を支持する現像枠体を有し、
前記現像枠体は前記電子写真感光体ドラムと前記現像剤担持体が略平行になるよう前記ドラム枠体に支持され、
前記現像枠体と前記現像剤収納枠体は夫々前記現像剤が通過するような開口部を有し、
前記現像枠体と前記現像剤収納枠体は前記開口部が間をおいて対向するように配置され、
ていることを特徴とする請求項６に記載のプロセスカートリッジ。
【請求項８】
前記プロセスカートリッジの有無を検知するプロセスカートリッジ検知手段と、
前記画像形成装置本体から前記検知手段に電圧の出入力を行う外部カートリッジ有無出入力電極と、を有し、
前記外部カートリッジ有無出入力電極は前記フレームに支持されていることを特徴とする請求項６又は７に記載のプロセスカートリッジ。
【請求項９】
前記現像剤収納枠体の前記開口部を覆うトナーシール部材と、
前記トナーシールの有無を検知するトナーシール有無検知手段と、
前記画像形成装置から前記検知手段に電圧の出入力を行う外部トナーシール有無出入力電極と、を有し、
前記外部トナーシール有無出入力電極は前記フレームに支持されていることを特徴とする請求項６から８の何れか１つに記載のプロセスカートリッジ。
【請求項１０】
前記現像剤収納枠体の現像剤の量を検知するトナー量検知手段と、
前記画像形成装置本体から前記検知手段に電圧の出入力を行う外部トナー量検知出入力電極と、
を有し、
前記外部トナー量検知出入力電極は前記フレームに支持されていることを特徴とする請求項６から９の何れか１つに記載のプロセスカートリッジ。
【請求項１１】
前記現像手段または前記帯電手段または前記カートリッジ検知手段またはトナーシール有無検知手段またはトナー量検知手段の支持枠体は、前記手段の一部または、前記手段と電気的に接続している電極を支持しており、
前記外部電極が夫々の対応する前記手段の一部または前記電極にばね付勢することを特徴とする請求項４から１０の何れか１つに記載のプロセスカートリッジ。
【請求項１２】
プロセスカートリッジの画像形成装置本体への装着動作過程において、
画像形成装置本体の電気接点に対して、前記プロセスカートリッジの外部電極が接触可能で前記外部電極はそれ以外の画像形成装置本体に接触しないことを特徴とする請求項４から１１の何れか１つに記載のプロセスカートリッジ。
【請求項１３】
前記外部帯電電極、外部現像電極、外部カートリッジ有無出入力電極、トナーシール有無出入力電極、トナー量検知出入力電極はプロセスカートリッジを画像形成装置本体に装着した状態で下から見てほぼ一直線上に配設されていることを特徴とする請求項８から１２の何れか１つに記載のプロセスカートリッジ。
【請求項１４】
前記一直線は前記電子写真感光体ドラムに交叉する方向の直線である請求項１３に記載のプロセスカートリッジ。
【請求項１５】
プロセスカートリッジを着脱可能で記録媒体に画像を形成する電子写真画像形成装置において、
ａ．電子写真感光体ドラムと、
電子写真感光体ドラムを帯電する帯電手段と、
前記電子写真感光体ドラムに形成された静電潜像を現像剤を用いて現像する現像剤担持体を有する現像手段と、
前記帯電手段及び電子写真感光体ドラムを支持するドラム枠体と、
前記現像剤を収納する現像剤収納枠体と、
前記ドラム枠体と前記現像剤収納枠体を前記電子写真感光体ドラム長手方向の一端面側において支持するフレームと、
を有し、
前記帯電手段及び現像剤担持体に高圧を供給するための外部帯電電極、外部現像電極は、前記フレームに支持されているプロセスカートリッジを取り外し可能に装着する装着手段と、
ｂ．前記プロセスカートリッジが装着された際に前記外部帯電電極及び外部現像電極に夫々接する本体側帯電電極及び本体側現像電極と、
ｃ．本体側帯電電極及び本体側現像電極に通ずる高圧電源と、
ｄ．前記記録媒体を搬送するための搬送手段と、
を有することを特徴とする電子写真画像形成装置。
【請求項１６】
画像形成装置本体に着脱可能なプロセスカートリッジにおいて、
電子写真感光体ドラムと、
前記電子写真感光体ドラムを帯電する帯電手段と、
前記電子写真感光体ドラムに形成された静電潜像を現像剤を用いて現像する現像剤担持体を有する現像手段と、
前記帯電手段及び電子写真感光体ドラムを支持する樹脂製のドラム枠体と、
前記現像剤を収納する樹脂製の現像剤収納枠体と、
前記ドラム枠体と前記現像剤収納枠体を前記電子写真感光体ドラムの長手方向と同方向の一端面側及び他端面側において支持する樹脂製のフレームと、
を有し、
前記フレームでもって画像形成装置本体に対するプロセスカートリッジの支持と位置決めを行うと共に、
前記帯電手段に高圧を供給するための外部帯電電極及び前記現像手段に高圧を供給するための外部現像電極は、前記一端面側のフレームに支持されているプロセスカートリッジであって、
（ａ）ドラム枠体と現像剤収納枠体の一端面側及び他端面側を夫々フレームでもって仮結合する仮結合工程と、
（ｂ）前記仮結合工程で仮結合された、前記各枠体及びフレームを固定するための固定治具を用いて、前記ドラム枠体、現像剤収納枠体及びフレームが有する係合部と、前記固定治具の有する位置決め係合部を係合させて、前記各枠体及びフレームの位置決めを行う枠体位置決め工程と、
（ｃ）前記枠体位置決め工程で位置決めされた、前記ドラム枠体とフレームの対向面及び現像剤収納枠体とフレームとの対向面の間に溶融樹脂を注入して、前記フレームに対してドラム枠体と現像剤収納枠体を結合する樹脂注入工程と、
を有する樹脂製枠体の結合方法によって、
前記ドラム枠体と現像剤収納枠体との対向面の間に設けた電気接点部品を前記溶融樹脂で固定したことを特徴とするプロセスカートリッジ。
【請求項１７】
少なくとも二つの樹脂製枠体の結合方法であって、
（ａ）第一の樹脂製枠体と第二の樹脂製枠体を仮結合する仮結合工程と、
（ｂ）前記仮結合工程で仮結合された、前記第一の樹脂製枠体、第二の樹脂製枠体、
を固定するための固定治具を用いて、前記第一の樹脂製枠体、第二の樹脂製枠体が有する枠体係合部と、前記固定治具の有する位置決め係合部を係合させて、前記各枠体の位置決めを行う枠体位置決め工程と、
（ｃ）前記枠体位置決め工程で位置決めされた、前記第一の樹脂製枠体と第二の樹脂製枠体との対向面の間に溶融樹脂を注入して、前記第一の樹脂製枠体と第二の樹脂製枠体を結合する樹脂注入工程と、
を有する樹脂製枠体の結合方法によって、
前記第一の樹脂製枠体と第二の樹脂製枠体との対向面の間に設けた電気接点部品を前記溶融樹脂で固定することを特徴とする電気接点部品の固定方法。
【手続補正２】
【補正対象書類名】明細書
【補正対象項目名】００１４
【補正方法】変更
【補正の内容】
【００１４】
本出願に係る第６の発明は画像形成装置本体に着脱可能なプロセスカートリッジにおいて、電子写真感光体ドラムと、前記電子写真感光体ドラムを帯電する帯電手段と、前記電子写真感光体ドラムに形成された静電潜像を現像剤を用いて現像する現像剤担持体を有する現像手段と、前記帯電手段及び電子写真感光体ドラムを支持するドラム枠体と、前記現像剤を収納する現像剤収納枠体と、前記ドラム枠体と前記現像剤収納枠体を前記電子写真感光体ドラムの長手方向と同方向の一端面側において支持するフレームと、を有し、前記フレームでもって画像形成装置本体に対するプロセスカートリッジの支持と位置決めを行うと共に、前記帯電手段に高圧を供給するための外部帯電電極及び前記現像手段に高圧を供給するための外部現像電極は、前記フレームに支持されている事を特徴とするプロセスカートリッジである。


【手続補正３】
【補正対象書類名】明細書
【補正対象項目名】００１５
【補正方法】変更
【補正の内容】
【００１５】
本出願に係る第１５の発明はプロセスカートリッジを着脱可能で記録媒体に画像を形成する電子写真画像形成装置において、
ａ．電子写真感光体ドラムと、電子写真感光体ドラムを帯電する帯電手段と、前記電子写真感光体ドラムに形成された静電潜像を現像剤を用いて現像する現像剤担持体を有する現像手段と、前記帯電手段及び電子写真感光体ドラムを支持するドラム枠体と、前記現像剤を収納する現像剤収納枠体と、前記ドラム枠体と前記現像剤収納枠体を前記電子写真感光体ドラム長手方向の一端面側において支持するフレームと、を有し、前記帯電手段及び現像剤担持体に高圧を供給するための外部帯電電極、外部現像電極は、前記フレームに支持されているプロセスカートリッジを取り外し可能に装着する装着手段と、
ｂ．前記プロセスカートリッジが装着された際に前記外部帯電電極及び外部現像電極に夫々接する本体側帯電電極及び本体側現像電極と、
ｃ．本体側帯電電極及び本体側現像電極に通ずる高圧電源と、
ｄ．前記記録媒体を搬送するための搬送手段と、
を有することを特徴とする電子写真画像形成装置である。


【手続補正４】
【補正対象書類名】明細書
【補正対象項目名】００１６
【補正方法】変更
【補正の内容】
【００１６】
本出願に係る第１６の発明は画像形成装置本体に着脱可能なプロセスカートリッジにおいて、電子写真感光体ドラムと、前記電子写真感光体ドラムを帯電する帯電手段と、前記電子写真感光体ドラムに形成された静電潜像を現像剤を用いて現像する現像剤担持体を有する現像手段と、前記帯電手段及び電子写真感光体ドラムを支持する樹脂製のドラム枠体と、前記現像剤を収納する樹脂製の現像剤収納枠体と、前記ドラム枠体と前記現像剤収納枠体を前記電子写真感光体ドラムの長手方向と同方向の一端面側及び他端面側において支持する樹脂製のフレームと、を有し、前記フレームでもって画像形成装置本体に対するプロセスカートリッジの支持と位置決めを行うと共に、前記帯電手段に高圧を供給するための外部帯電電極及び前記現像手段に高圧を供給するための外部現像電極は、前記一端面側のフレームに支持されているプロセスカートリッジであって、
（ａ）ドラム枠体と現像剤収納枠体の一端面側及び他端面側を夫々フレームでもって仮結合する仮結合工程と、
（ｂ）前記仮結合工程で仮結合された、前記各枠体及びフレームを固定するための固定治具を用いて、前記ドラム枠体、現像剤収納枠体及びフレームが有する係合部と、前記固定治具の有する位置決め係合部を係合させて、前記各枠体及びフレームの位置決めを行う枠体位置決め工程と、
（ｃ）前記枠体位置決め工程で位置決めされた、前記ドラム枠体とフレームの対向面及び現像剤収納枠体とフレームとの対向面の間に溶融樹脂を注入して、前記フレームに対してドラム枠体と現像剤収納枠体を結合する樹脂注入工程と、を有する樹脂製枠体の結合方法によって、前記ドラム枠体と現像剤収納枠体との対向面の間に設けた電気接点部品を前記溶融樹脂で固定したことを特徴とするプロセスカートリッジである。


【手続補正５】
【補正対象書類名】明細書
【補正対象項目名】００１７
【補正方法】変更
【補正の内容】
【００１７】
本出願に係る第１７の発明は少なくとも二つの樹脂製枠体の結合方法であって、
（ａ）第一の樹脂製枠体と第二の樹脂製枠体を仮結合する仮結合工程と、
（ｂ）前記仮結合工程で仮結合された、前記第一の樹脂製枠体、第二の樹脂製枠体を固定するための固定治具を用いて、前記第一の樹脂製枠体、第二の樹脂製枠体、が有する枠体係合部と、前記固定治具の有する位置決め係合部を係合させて、前記各枠体の位置決めを行う枠体位置決め工程と、
（ｃ）前記枠体位置決め工程で位置決めされた、前記第一の樹脂製枠体と第二の樹脂製枠体との対向面の間に溶融樹脂を注入して、前記第一の樹脂製枠体と第二の樹脂製枠体を結合する樹脂注入工程と、を有する樹脂製枠体の結合方法によって、前記第一の樹脂製枠体と第二の樹脂製枠体との対向面の間に設けた電気接点部品を前記溶融樹脂で固定することを特徴とする電気接点部品の固定方法である。